(57)【特許請求の範囲】
【請求項１】
遊技機に搭載される基板間を接続するために用いられ、可撓性を有するフレキシブル配線基板であって、
前記フレキシブル配線基板の一方主面に形成された第１配線パターンと、
前記フレキシブル配線基板の他方主面における所定の第１領域に形成された第２配線パターンとを含み、
前記第２配線パターンは、前記他方主面における所定の第１領域と、前記他方主面において、前記第１領域に対し、前記フレキシブル配線基板の長手 方向に関し異なる領域である第２領域とで、当該配線パターンの態様が異なっており、
前記第２配線パターンは、前記第１領域に形成された第１グランドパターンと、前記第２領域に形成され、前記第１グランドパターンよりも単位面積当たりの配線面積が小さい第２グランドパターンとを含む、遊技機用フレキシブル配線基板。
【請求項２】
前記フレキシブル配線基板には、前記第１配線パターンと前記第２配線パターンとの導通をとるための導通手段が設けられている、請求項１記載の遊技機用フレキシブル配線基板。
【請求項３】
遊技機本体の所定位置に固定的に配設された第１基板と、
遊技動作に関連して移動可能な可動体に取り付けられた第２基板と、
前記第１および第２基板間を接続するために用いられ、可撓性を有するフレキシブル配線基板とを含み、
前記フレキシブル配線基板は、当該フレキシブル配線基板の一方主面に形成された第１配線パターンと、当該フレキシブル配線基板の他方主面における所定の第１領域に形成された第２配線パターンとを含み、
前記第２配線パターンは、前記他方主面における所定の第１領域と、前記他方主面において、前記第１領域に対し、前記フレキシブル配線基板の長手方向に関し異なる領域である第２領域とで、当該配線パターンの態様が異なっており、
前記第２配線パターンは、前記第１領域に形成された第１グランドパターンと、前記第２領域に形成され、前記第１グランドパターンよりも単位面積当たりの配線面積が小さい第２グランドパターンとを含む、遊技機。
【請求項４】
前記第２領域は、前記フレキシブル配線基板における前記第２基板側の領域に形成されている、請求項３記載の遊技機。
【発明の詳細な説明】
【技術分野】
【０００１】
本発明は、遊技機用フレキシブル配線基板およびそれを備えた遊技機に関する。
【背景技術】
【０００２】
通常、パチンコ機、スロットマシン等の遊技機には、当該遊技機に搭載される各種部品の動作を制御するための制御基板が複数設けられている。各種部品には、当該部品の駆動用の駆動用基板が設けられており、この駆動用基板と制御基板とが配線を用いて接続されている。また、制御基板と駆動用基板との間に中継基板を介在させる場合には、制御基板と中継基板との間、または中継基板と駆動用基板との間が配線を用いて接続される。
【０００３】
これらの配線が複雑な経路を通る場合には、その配線として、可撓性を有するフレキシブル配線基板が用いられている（たとえば、特許文献１参照）。
【先行技術文献】
【特許文献】
【０００４】
【特許文献１】特開２００３−６２３０９号公報
【発明の開示】
【発明が解決しようとする課題】
【０００５】
また、部品が可動体であり、当該部品の移動に伴って基板（駆動用基板）が移動する場合にも、その基板と制御基板等とを接続するために、可撓性を有するフレキシブル配線基板を用いることが考えられる。
一方、近年、パチンコ機に搭載される各種基板では、電子部品の実装密度が向上しており、ノイズ対策が重視されている。そのため、ノイズによる影響を抑制しつつ、伝送性能を高めるために、両面搭載型のフレキシブルフラットケーブル（フレキシブル配線基板）を採用することが考えられる。
【０００６】
しかしながら、両面搭載型のフレキシブル配線基板は、表裏双方の主面の全域に金属製のグランドパターンを配置するので、その可撓性が低下するおそれがある。可撓性が低下すると、フレキシブル配線基板の撓み（変形）に伴って当該撓み部分に過度に高い応力が生じ、フレキシブル配線基板の配線パターンが断線するおそれがある。
本発明は、このような背景の下でなされたものであり、ノイズに配慮しつつ、配線パターンの断線の発生を抑制または防止することができる遊技機用フレキシブル配線基板およびそれを備えた遊技機を提供することを目的とする。
【課題を解決するための手段】
【０００９】
前記の目的を達成するための請求項１記載の発明は、遊技機（１）に搭載される基板（４５，４６）間を接続するために用いられるフレキシブル配線基板（７０）であって、前記フレキシブル配線基板の一方主面に形成された第１配線パターン（６２）と、前記フレキシブル配線基板の他方主面における所定の第１領域に形成された第２配線パターン（７３）とを含み、前記第２配線パターンは、前記他方主面における所定の第１領域（７０Ａ）と、前記他方主面において、前記第１領域に対し、前記フレキシブル配線基板の長手方向に関し異なる領域である第２領域（７０Ｂ）とで、当該配線パターンの態様が異なっており、前記第２配線パターンは、前記第１領域に形成された第１グランドパターン（７１）と、前記第２領域に形成され、前記第１グランドパターンよりも単位面積当たりの配線面積が小さい第２グランドパターン（７２）とを含む、遊技機用フレキシブル配線基板である。
【００１０】
この構成によれば、フレキシブル配線基板の他方主面の第１領域の配線パターンの態様、および当該他方主面の第２領域の配線パターンの態様が互いに異なっている。そのため、フレキシブル配線基板の他方主面の第２領域に含まれる配線パターンを工夫することにより、フレキシブル配線基板における第２領域に対応する部分に含まれる配線を少なくすることが可能である。この場合、フレキシブル配線基板の変形時に、第２領域に過度に高い応力が生じるのを抑制することができる。
【００１１】
また、フレキシブル配線基板の第１および第２領域の双方に配線パターンが形成されているので、ノイズによる影響を抑制することができる。
また、第２領域のグランドパターン（第２グランドパターン）を、たとえば網目状に形成することができる。これにより、フレキシブル配線基板における第２領域に対応する部分に含まれる配線の量を低減させることができ、フレキシブル配線基板の第２領域に過度に高い応力が加わるのを、より一層抑制することができる。
以上により、ノイズに配慮しつつ、配線パターンの断線の発生を抑制または防止することができる。
【００１２】
請求項２に記載のように、前記フレキシブル配線基板には、前記第１配線パターンと前記第２配線パターンとの導通をとるための導通手段（５９Ａ）が設けられていてもよい。
【００１４】
前記の目的を達成するための請求項６記載の発明は、遊技機本体（１７Ａ）に固定的に配設された第１基板（４５）と、遊技動作に関連して移動可能な可動体に取り付けられた第２基板（４６）と、前記第１および第２基板間を接続するために用いられ、可撓性を有するフレキシブル配線基板（７０）とを含み、前記フレキシブル配線基板は、当該フレキシブル配線基板の一方主面に形成された第１配線パターン（６２）と、当該フレキシブル配線基板の他方主面における所定の第１領域（７０Ａ）に形成された第２配線パターン（７３）とを含み、前記第２配線パターンは、前記他方主面における所定の第１領域（７０Ａ）と、前記他方主面において、前記第１領域に対し、前記フレキシブル配線基板の長手方向に関し異なる領域である第２領域（７０Ｂ）とで、当該配線パターンの態様が異なっている、遊技機である。
【００１５】
この構成によれば、請求項１に関連して説明した作用効果と同等の作用効果を奏する。
また、前述のように、第１基板は遊技機の所定位置に固定的に配設されており、第２基板は、遊技動作に関連して移動可能な可動体に取り付けられている。この場合、可動体の移動に伴って、フレキシブル配線基板における第２基板側の領域が大きく変位する。可動体が頻繁に変位する場合、フレキシブル配線基板における第２基板側の領域が繰り返し変形されるおそれがある。
【００１６】
このような場合、請求項３に記載のように、前記第２領域は、前記フレキシブル配線基板における前記第２基板側の領域に形成されていてもよい。この場合、繰り返し変形される領域が第２領域に設定されているので、フレキシブル配線基板における繰り返し変形される領域の配線の量を抑えることができ、これにより、配線パターンの断線の発生をより一層抑制することができる。
【図面の簡単な説明】
【００１７】
【図１】本発明の一実施形態に係る遊技機の概略構成を示す斜視図である。
【図２】図１に示す遊技機に含まれる遊技盤の正面図である。
【図３Ａ】図１に示す遊技機の電気的構成を示すブロック図である。
【図３Ｂ】サブ液晶周辺基板と液晶インターフェイス基板とをフラットケーブルで接続した状態を示す図である。
【図４Ａ】サブ液晶周辺基板と液晶インターフェイス基板との位置関係を示す断面図である（その１）。
【図４Ｂ】サブ液晶周辺基板と液晶インターフェイス基板との位置関係を示す断面図である（その２）。
【図５】図３Ａに示すフラットケーブルの構成を示す図である。
【図６】図３Ａに示すフラットケーブルの縦断面図である。
【図７】本発明の他の実施形態に係るフレキシブル配線基板が適用されたフラットケーブルの構成を示す図である。
【図８】図３Ａに示すサブ液晶周辺基板に実装されるコネクタの概略構成を示す斜視図である。
【図９】図７に示す、第２コネクタを含むフラットケーブルの概略構成を示す縦断面図である。
【図１０】フラットケーブルの変形例の構成を示す図である。
【発明を実施するための形態】
【００１８】
以下では、この発明の実施の形態を、添付図面を参照して詳細に説明する。
図１は、本発明の第１実施形態に係る遊技機１の概略構成を示す斜視図である。この実施形態では、図１に示す遊技機１はパチンコ機である。
遊技機１は、遊技店内に配列された遊技島への取付け（設置）のための略四角枠状の外枠２と、この外枠２に対し片開き（横開き）可能に取り付けられた内枠（遊技機本体）３とを備えている。外枠２の左右一方、たとえば左側のヒンジ４によって、内枠３はヒンジ４の回動軸まわりに回動可能に保持されている。
【００１９】
内枠３の上部分には、遊技盤５（遊技機本体。図２参照）が収容保持されている。内枠３の下部分には、発射装置（図示しない）が収容保持されている。内枠３の前側には、前扉６が開閉可能に設けられている。また、内枠３の手前側には、前扉６の下方に、下部開閉板７が開閉可能に設けられている。前扉６には、遊技盤５に対向する位置に略円形の開口８が形成されている。この開口８には、ガラス板などの透明板９が嵌められていて、前扉６を閉じた状態で、その透明板９を介して、透明板９の奥側の遊技盤５を視認することができるようになっている。前扉６の上部には、左右一対のスピーカ１４が配設されている。また、前扉６の下部には、左右一対のランプユニット１５が配設されている。
【００２０】
下部開閉板７には、遊技に使用する遊技球（パチンコ球）を貯留しておくための上皿１０と、上皿１０からオーバーフロー路（図示しない）を通して溢れた遊技球を受け止める下皿１２とが上下に並んで設けられている。また、下皿１２の右側には、遊技球を遊技盤５に打ち出す際に操作されるハンドル１３が配設されている。遊技者が、ハンドル１３を把持して回転操作することにより、発射装置から遊技盤５に向けて遊技球を発射することができ、また、ハンドル１３の回転角度を調整することにより、遊技盤５に向けて発射される遊技球の勢いを調節することができる。
【００２１】
図２は、遊技機１に含まれる遊技盤５の正面図である。遊技盤５の盤面には、中央部に略円形の遊技領域Ｓが設定されており、この遊技領域Ｓの周縁には、発射装置から発射された遊技球を、遊技盤５の上方（左側上部）に導くための略円弧状のガイドレール５７が配設されている。また、ガイドレール５７に対向して、内レール５８が配置されている。内レール５８の先端は遊技領域Ｓの上部まで延びていて、発射装置により発射された遊技球は、内レール５８とガイドレール５７との間を通って遊技領域Ｓの上部へと導かれる。
【００２２】
遊技領域Ｓには、多数本の障害釘（図示しない）が配設されており、遊技盤５の左側上部からガイドレール５７および内レール５８に沿って右斜め上方に向けて放たれた遊技球は、遊技盤５の盤面に沿って多数本の障害釘の間を通って流下していく。
遊技領域Ｓの中央部には液晶表示部５６を含むセンターユニット１７が配設されている。液晶表示部５６は、遊技機１の遊技中に、演出図柄を変動表示するためのものである。センターユニット１７における液晶表示部５６の周囲は、フレーム枠１７Ａ（遊技機本体。図４Ａおよび図４Ｂも併せて参照）によって取り囲まれており、このフレーム枠１７Ａの前面には、たとえばハートなどの女の子らしさなどをモチーフとした装飾部材１８が取り付けられている。センターユニット１７内には、当該液晶表示部５６を駆動する液晶基板３５が内蔵されている。
【００２３】
センターユニット１７の右側方には、小型液晶ユニット（可動体）３６が配設されている。小型液晶ユニット３６は全体として縦長の略直方体形状をなしており、縦長の正面視矩形状をなす小型のサブ液晶表示部３７を備えている。小型液晶ユニット３６においてサブ液晶表示部３７の周囲は、フレーム（図示しない）によって取り囲まれており、このフレームの前面には、装飾部材１８と同様にたとえばハートなどの女の子らしさなどをモチーフとした装飾部材３８が取り付けられている。小型液晶ユニット３６は可動式であり、第１姿勢（図４Ａ参照）と第２姿勢（図４Ｂ参照）との間で姿勢変更可能（移動可能）に設けられている。小型液晶ユニット３６には、サブ液晶表示部３７を駆動するサブ液晶基板３９が内蔵されている。
【００２４】
小型液晶ユニット３６が第１姿勢にあるときには、サブ液晶表示部３７の前面の右側が左側よりも前方に張り出しており（サブ液晶表示部３７の前面が、左右方向に沿う鉛直面と所定の角度（たとえば３０°または１５０°をなし）、また、正面視で、サブ液晶表示部３７は液晶表示部５６と重複していない。一方、小型液晶ユニット３６が第２姿勢にあるときには、サブ液晶表示部３７の前面が左右方向に沿っており、また、正面視で、サブ液晶表示部３７が液晶表示部５６に重複（この実施形態では一部重複）している。なお、小型液晶ユニット３６が第１または第２姿勢のいずれにある場合であっても、サブ液晶表示部３７は鉛直姿勢に保たれている。
【００２５】
遊技領域Ｓの下部には、第１特別図柄始動口１９および第２特別図柄始動口２０が上下に並べて配設されている。第１特別図柄始動口１９および第２特別図柄始動口２０は、それぞれ、遊技領域Ｓを流下する遊技球を入球可能に設けられている。第２特別図柄始動口２０に関連して、１対の羽根を有し、第２特別図柄始動口２０を開閉するための電動チューリップ役物２１が配設されている。
【００２６】
第２特別図柄始動口２０の直下には、たとえば、左右に長い長方形状をなす第１大入賞口２２が配設されている。第１大入賞口２２に関連して第１大入賞口開閉役物２３が配設されている。第１大入賞口開閉役物２３は、遊技盤５の盤面に沿った状態で第１大入賞口２２を閉塞して、第１大入賞口２２に遊技球が入るのを阻止することができる一方、この状態から第１大入賞口２２の下端縁に沿って配置された回動軸（図示しない）を中心に手前側に傾倒することにより、第１大入賞口２２を開放して、第１大入賞口２２上に流下してくる遊技球を第１大入賞口２２内に導き入れることができる（図２では、第１大入賞口２２の開放状態を示している）。
【００２７】
遊技盤５の右下部（センターユニット１７の右下方で、かつ第１大入賞口２２の右上方）には、たとえば、左右に長い長方形状をなす第２大入賞口２４が配設されている。第２大入賞口２４に関連して第２大入賞口開閉役物２５が配設されている。第２大入賞口開閉役物２５は、遊技盤５の盤面に沿った状態で第２大入賞口２４を閉塞して、第２大入賞口２４に遊技球が入るのを阻止することができる一方、この状態から第２大入賞口２４の下端縁に沿って配置された回動軸（図示しない）を中心に手前側に傾倒することにより、第２大入賞口２４を開放して、第２大入賞口２４上に流下してくる遊技球を第２大入賞口２４内に導き入れることができる。
【００２８】
第１または第２特別図柄始動口１９，２０に遊技球が入ると、それぞれ予め定める個数の賞球が、賞球払出装置（図示しない）から払い出される。また、第１特別図柄始動口１９または第２特別図柄始動口２０への遊技球の入球に伴って、第１大入賞口開閉役物２３の第１大入賞口２２の開放動作、または第２大入賞口開閉役物２５の第２大入賞口２４の複数回の開放動作を含む大当たり遊技を、実行するか否かを決定するための大当たり抽選が実行される。第１または第２大入賞口２２，２４に遊技球が入ると、それぞれ予め定める個数の賞球が賞球払出装置（図示しない）から払い出される。
【００２９】
遊技盤５の右下部（センターユニット１７の右下方で、かつ第２大入賞口２４の右上方）には、遊技領域Ｓを流下する遊技球が通過可能な普通図柄ゲート２６が配設されている。普通図柄ゲート２６を遊技球が通過すると、第２特別図柄始動口２０を開放するか否か（電動チューリップ役物２１を拡開状態にするか否か）を決定するための普通図柄抽選が実行される。
【００３０】
遊技盤５の左下部には、第１普通入賞口２７、第２普通入賞口２８および第３普通入賞口２９が左上がりの斜め一列に整列した状態で設けられた普通入賞口ユニット３０が配設されている。遊技盤５の盤面に沿って流下する遊技球のうち、第１および第２特別図柄始動口１９，２０、第１および第２大入賞口２２，２４、ならびに第１〜第３普通入賞口２７〜２９のいずれにも入球しなかった遊技球（アウト球）は、遊技領域Ｓの下部に形成されたアウト口３１から機内に入り、球回収部（図示しない）に回収される。
【００３１】
また、遊技盤５の盤面における遊技領域Ｓの右下方には、遊技機１の機械番号等を表示した証紙を貼着するための正面視矩形状の証紙台４０が設けられている。
図３Ａは、遊技機１における電気的構成を示すブロック図である。図３Ａでは、表示制御のための電気的構成のみを示している。
遊技機１は、遊技の動作制御（遊技制御）を司る主制御基板４１と、演出制御を司る演出制御基板４２と、液晶表示部５６およびサブ液晶表示部３７の表示を制御するための液晶制御基板４３とを備えている。その他、遊技機１は、賞球払出装置（図示しない）による払出し動作を制御するための払出制御基板や、発射装置（図示しない）による遊技球の払出し動作を制御するための発射制御基板を備えているがこれらの基板の図示は省略する。各制御基板４１，４２，４３には、たとえばＣＰＵ、ＲＡＭおよびＲＯＭを含む構成のマイクロコンピュータが実装されている。
【００３２】
主制御基板４１と演出制御基板４２とは、演出インターフェイス基板４４を介して接続されている。この演出インターフェイス基板４４には、液晶インターフェイス基板（第１基板）４５が接続されている。
主制御基板４１と演出制御基板４２とは、演出インターフェイス基板４４および液晶インターフェイス基板４５を介して接続されている。液晶インターフェイス基板４５には液晶基板３５が接続されているとともに、サブ液晶周辺基板（第２基板）４６を介してサブ液晶基板３９が接続されている。
【００３３】
液晶制御基板４３は、液晶表示部５６およびサブ液晶表示部３７を制御するための表示信号を作成する液晶制御部４８を備えている。液晶制御基板４３における配線負荷容量の定格値はたとえば１５ｐＦに設定されている。液晶基板３５は、液晶表示部５６の表示制御のためのドライバ（液晶ドライバ）４９を備えている。サブ液晶基板３９は、サブ液晶表示部３７の表示制御のためのドライバ（液晶ドライバ）５０を備えている。また、サブ液晶基板３９における、ハーネス負荷容量の定格値はたとえば１０ｐＦに、またサブ液晶の負荷容量はたとえば１ｐＦにそれぞれ設定されている。
【００３４】
これら接続されるべき基板間は、ハーネスや配線、ケーブルによって電気的な接続が達成されている。換言するとこれらハーネスや配線、ケーブルによって基板間の信号の授受や、電圧供給などが達成されている。
図３Ａに示す各種基板のうち、主制御基板４１、演出制御基板４２、液晶制御基板４３および演出インターフェイス基板４４は、遊技盤５の背面側に取り付けられている。さらに、液晶インターフェイス基板４５は、遊技盤５に固定的に取り付けられたセンターユニット１７（図４Ａおよび図４Ｂ参照）の背面側に取り付けられている。
【００３５】
その一方で、サブ液晶周辺基板４６は、遊技盤５に対して変位可能な小型液晶ユニット３６の背面に取り付けられている。
主制御基板４１は、演出制御基板４２に向けて演出制御コマンドＣＭＤを出力する。主制御基板４１からの演出制御コマンドＣＭＤは、演出インターフェイス基板４４を介して演出制御基板４２に与えられる。
【００３６】
演出制御基板４２は、主制御基板３０からの演出制御コマンドＣＭＤに基づいて液晶表示ユニット１５の具体的な演出内容を決定し、その演出内容が記された液晶制御用の画像制御信号ＶＣＳを液晶制御基板４３に送信する。演出制御基板４２から出力される画像制御信号ＶＣＳは、演出インターフェイス基板４４および液晶インターフェイス基板４５を介して液晶制御基板４３に与えられる。液晶制御基板４３の液晶制御部４８は、演出制御基板４２から送出される画像制御信号ＶＣＳに基づいて、液晶表示部５６やサブ液晶表示部３７を制御するための表示信号ＶＳを作成する。液晶制御部４８によって作成された表示信号ＶＳが、液晶インターフェイス基板４５を介して液晶基板３５のドライバ４９に与えられるようになっており、また、液晶制御部４８によって作成された表示信号ＶＳが、液晶インターフェイス基板４５およびサブ液晶周辺基板４６を介してサブ液晶基板３９のドライバ５０に与えられるようになっている。
【００３７】
この実施形態では、液晶インターフェイス基板４５とサブ液晶周辺基板４６との間の電気的接続が、可撓性を有するフレキシブルフラットケーブル（遊技機用フレキシブル配線基板。以下、単に「フラットケーブル」という）６０によって達成されている。
また、液晶インターフェイス基板４５とサブ液晶周辺基板４６との間の通信のインターフェイスが、V-by-One HSによって実現されている。すなわち、液晶インターフェイス基板４５の送出側のインターフェイスおよびサブ液晶周辺基板４６の受取り側のインターフェイスが、それぞれV-by-One HS方式である（送出側のインターフェイスとして、たとえばV-by-OneトランスミッタＴＨＣＶ２１３（ザインエレクトロニクス社製）を採用することができ、また、受取り側のインターフェイスとして、たとえばV-by-OneレシーバーＴＨＣＶ２１４（ザインエレクトロニクス社製）を採用することができる。
【００３８】
図３Ｂは、サブ液晶周辺基板４６と液晶インターフェイス基板４５とをフラットケーブル６０で接続した状態を示す図である。
液晶インターフェイス基板４５は液晶制御基板４３と共通の液晶用基板ケース１００内に収容保持されている。フラットケーブル６０の両端部には、それぞれ第１および第２コネクタ６７，６８が接続されている。液晶用基板ケース１００には、フラットケーブル６０の第１コネクタ６７を装着するための縦長の開口１０３が形成されており、この開口１０３を介して第１コネクタ６７が、液晶用基板ケース１００内に収容された液晶インターフェイス基板４５のコネクタに結合されている。また、フラットケーブル６０の第２コネクタ６８は、サブ液晶周辺基板４６のコネクタに結合されている。
【００３９】
図４Ａおよび図４Ｂは、サブ液晶周辺基板４６と液晶インターフェイス基板４５との位置関係を示す断面図である。小型液晶ユニット３６が第１姿勢にあるときの状態を図４Ａに示し、小型液晶ユニット３６が第２姿勢にあるときの状態を図４Ｂに示す。図４Ａおよび図４Ｂでは、フレーム枠１７Ａの上下方向途中部を、水平方向に沿って切断したときの上方から見た状態を示している。また、図４Ａおよび図４Ｂでは、センターユニット１７から装飾部材１８を取り除き、かつ小型液晶ユニット３６から装飾部材３８を取り除いた状態を示している。
【００４０】
センターユニット１７のフレーム枠１７Ａは水平面からなる枠底上面１７Ｂ（枠底部の上面）を備えている。このセンターユニット１７に対し液晶表示部５６は、その前面（液晶表示面）が、フレーム枠１７Ａよりも一段後方に配置されるように取り付けられている。枠底上面１７Ｂには、小型液晶ユニット３６が姿勢変更可能に取り付けられている。
フレーム枠１７Ａの枠底上面１７Ｂには、それぞれ溝幅の狭い第１および第２ガイド溝５１，５２が形成されている。第１ガイド溝５１は左右方向に延びている。また、第２ガイド溝５２は、右方向に向かうに従って前方に向かうように傾斜しながら延びている。小型液晶ユニット３６の本体底面の幅方向の左端部には、鉛直下方に向けて突出する第１係合突起５３が形成されている。小型液晶ユニット３６の本体底面の幅方向の右端部には、鉛直下方に向けて突出する第２係合突起５４が形成されている。第１および第２係合突起５３，５４は、それぞれ第１ガイド溝５１および第２ガイド溝５２に嵌合している。これにより、小型液晶ユニット３６が、第１姿勢（図４Ａ参照）と第２姿勢（図４Ｂ参照）との間で姿勢変更可能に設けられている。また、小型液晶ユニット３６には、ボールねじやモータなどによって構成される小型液晶ユニット駆動機構５５が結合されている。この小型液晶ユニット駆動機構５５の駆動により、小型液晶ユニット３６が、第１姿勢（図４Ａ参照）と第２姿勢（図４Ｂ参照）との間で移動される。
【００４１】
液晶表示部５６は大型の液晶ユニットから構成されている。液晶表示部５６は、当該液晶表示部５６の後方に配置された鉛直略板状の取付台１０２によって、液晶表示面を前方に向けた姿勢に保持されている。具体的には、取付台１０２の背面側には、液晶用基板ケース１００、および演出制御基板４２を収容する演出用基板ケース１０１が固定的に取り付けられている。取付台１０２の背面側に対する演出用基板ケース１０１の取付け状態では、演出用基板ケース１０１の前面と取付台１０２の背面との間に隙間１０５が形成されている。フラットケーブル６０は、サブ液晶周辺基板４６と液晶インターフェイス基板４５とを、隙間１０５を通って接続している。
【００４２】
サブ液晶周辺基板４６は、遊技動作に関連して移動可能な小型液晶ユニット３６に取り付けられている。換言すると、フラットケーブル６０の他端（第２コネクタ６８）が隙間１０５を通って、液晶表示部５６よりも前後方向に関して前方に位置する小型液晶ユニット３６のサブ周辺基板４６まで引き出されている。
そのため、小型液晶ユニット３６が第１姿勢にあるときと第２姿勢にあるときとでは、サブ液晶周辺基板４６の位置、とくにサブ液晶周辺基板４６における、第２コネクタ６８と結合するためのサブ液晶周辺基板４６側のコネクタの位置が大きく変化する。この場合、図４Ａおよび図４Ｂに示すように、液晶インターフェイス基板４５とサブ液晶周辺基板４６とを接続するフラットケーブル６０は、小型液晶ユニット３６の移動に伴って変形する（撓む）。とくに、フラットケーブル６０におけるサブ液晶周辺基板４６側の領域の変形量（撓み量）が大きい。小型液晶ユニット３６が頻繁に移動する場合、フラットケーブル６０におけるサブ液晶周辺基板４６側の領域が繰り返し変形されるおそれがある。
【００４３】
なお、液晶用基板ケース１００と演出用基板ケース１０１との位置関係は左右方向逆位置であってもよいし、上下に配置される構成であってもよい。
また、基板ケース１００と演出用基板ケース１０１という２つのケースを設ける構成でなく、基板ケースを１つ設ける構成であってもよい。この場合、複数の演出装置（液晶表示部５６やランプ、スピーカ１４等）制御用の複数の制御基板（各制御基板には制御手段（ＣＰＵ）が実装）を１つの基板ケースに収容する構成（各演出装置に対応して制御基板を設ける構成）を採用してもよいし、複数の制御手段（ＣＰＵ）が実装された１枚の基板を基板ケース内に収容する構成（１つの制御基板ですべての演出装置の制御を司るように構成）を採用してもよい。前者の場合の一例として、たとえば液晶制御基板４３および演出制御基板４２等を１つの基板ケースに収容する構成を例示することができる。
【００４４】
図５は、フラットケーブル６０の構成を示す図である。図６は、フラットケーブル６０の縦断面図である。
図５（ａ）はフラットケーブル６０の平面図であり、図５（ｂ）はフラットケーブル６０の底面図である。図５（ａ），（ｂ）に示すように、フラットケーブル６０は、絶縁フィルム等からなる帯状の絶縁シート６１と、絶縁シート６１の表面（一方主面）に配置された第１配線パターン６２と、絶縁シート６１の裏面（他方主面）の一部分に配置された第２配線パターン６３とを含む両面搭載型のフラットケーブルである。第１配線パターン６２は、絶縁シート６１の表面における絶縁部分を除く全域にわたって配置されている。絶縁シート６１としては、ポリイミド樹脂フィルムやＰＥＴ（Polyethylene terephthalate）フィルムなどを例示することができる。
【００４５】
第１配線パターン６２は、電源供給配線６４と、グランドパターン６５と、複数本の信号線６６とを備えている。電源供給配線６４、グランドパターン６５および信号線６６は、それぞれフラットケーブル６０の長手方向に沿って延びている。電源供給配線６４は、絶縁シート６１の一方側の側辺（図５（ａ）に示す上側辺。一側辺）よりもやや内方（図５（ａ）に示す下方）で当該一側辺に沿って、一様の幅間隔で延びている。電源供給配線６４は金属箔（たとえば銅箔）により形成されている。電源供給配線６４は、たとえばＤＣ５Ｖのバックライト用の直流電圧のための配線や、たとえばＤＣ３．３Ｖの液晶駆動用の直流電圧のための配線を備えている。
【００４６】
グランドパターン６５は、絶縁シート６１の他方側の側辺（図５（ａ）に示す下側辺。他側辺）よりもやや内方（図５（ａ）に示す上方）で当該他側辺に沿って、一様の幅間隔で延びている。グランドパターン６５は金属箔（たとえば銅箔）により形成されている。この実施形態では、グランドパターン６５の幅は電源供給配線６４の幅と同等に設定されている。
【００４７】
なお、グランドパターン６５の幅を電源供給配線６４の幅よりも広く設定してもよい。また、信号線６６、グランドパターン６５および電源供給線６４のパターン幅を全て同一に設定してもよいし、グランドパターン６５や電源供給線６４のパターン幅を、信号線６６とは異なる幅に設定してもよい。
電源供給配線６４とグランドパターン６５との間に、複数本の信号線６６が互いに平行に並置されている。この実施形態では、６本の信号線６６を、たとえば０．５ｍｍの間隔を空けて並列に配置している。信号線６６は、直線状の金属箔（たとえば銅箔）を用いて形成されている（図５（ａ）では、６本の信号線６６のみを示している）。これら複数本の信号線６６としては、１本の差動信号（V-by-One HS方式）用の信号線、イネーブル信号用の信号線、クロック信号用の信号線、データ信号の信号線、リセット信号用の信号線等が設けられている。
【００４８】
第２配線パターン６３は、絶縁シート６１の裏面の一部分に配置されており、絶縁シート６１の裏面における、当該部分を除く領域には、第２配線パターン６３は配置されていない。この実施形態では、絶縁シート６１の裏面における、液晶インターフェイス基板４５側の２／３程度の第１領域６０Ａに第２配線パターン６３を配置し、サブ液晶周辺基板４６側の１／３程度の第２領域６０Ｂには配線パターンを配置していない。すなわち、フラットケーブル６０の裏面の第１領域６０Ａには、絶縁シート６１の裏面が露出している。
【００４９】
この第２配線パターン６３は、第１領域６０Ａの全域に配置されたグランドパターンである。この第２配線パターン（グランドパターン）は金属箔等によって形成されている。
換言すると、フラットケーブル６０の第１領域６０Ａに対応する領域は表裏面双方に配線パターンが配置された両面配線領域であるが、フラットケーブル６０の第２領域６０Ｂに対応する領域は片面配線領域である。そして、図６に示すように、この両面配線領域の適所には、第１配線パターン６２のグランドパターン６５と第２配線パターン６３との導通をとるためのビア５９Ａが設けられている。具体的には、絶縁シート６１には、当該絶縁シート６１を貫通するスルーホール５９が、フラットケーブル６０の長手方向に間隔を空けて形成され、各スルーホール５９にはビア５９Ａが埋設されている。
【００５０】
なお、第２配線パターンの領域は、配線の変形領域に応じて適宜設定される。よって、第２配線パターンの領域の方が第２領域６０Ｂよりも広くなるように構成される場合もある。
以上のようにこの実施形態によれば、フラットケーブル６０の裏面の第１領域６０Ａに配線パターン（第２配線パターン６３）が配置されているが、当該裏面の第２領域６０Ｂには配線パターンは形成されていない。そのため、フラットケーブル６０における第２領域６０Ｂに対応する部分にある配線は少なく、これにより、フラットケーブル６０の変形時（撓み時）に、第２領域６０Ｂに過度に高い応力が生じるのを抑制することができる。
【００５１】
また、この場合、フラットケーブル６０の第１領域６０Ａには配線パターン（第２配線パターン６３）が形成されているので、ノイズによる影響を抑制することができる。
以上により、ノイズに配慮しつつ、配線パターンの断線の発生を抑制または防止することができる。
とくに、フラットケーブル６０におけるサブ液晶周辺基板４６側の領域である第２領域６０Ｂは、フラットケーブル６０における繰り返し変形される領域である。フラットケーブル６０の第２領域６０Ｂに対応する領域だけ配線を少なくするので、ノイズ抑制効果は高く維持しつつ、配線パターンの断線の発生を効果的に抑制することができる。
【００５２】
図７は、本発明の第２実施形態に係るフレキシブル配線基板が適用されたフラットケーブル７０の構成を示す図である。
これら図７〜図９において、図１〜６に示す実施形態（第１実施形態）に示された各部に対応する部分には、第１実施形態と同一の参照符号を付して示し、説明を省略する。
図７（ａ）はフラットケーブル７０の平面図であり、図７（ｂ）はフラットケーブル７０の底面図である。図７（ｂ）に示すように、フラットケーブル７０が、第１実施形態に係るフラットケーブル６０と相違する主たる点は、フラットケーブル７０の裏面の第２領域７０Ｂに配線パターンを全く設けないのではなく、この裏面の第２領域７０Ｂに、単位面積当たりの配線面積の少ないグランドパターン（配線パターン）７２を形成するようにした点にある。以下、具体的に説明する。
【００５３】
フラットケーブル７０は、絶縁フィルム等からなる帯状の絶縁シート６１と、絶縁シート６１の表面（一方主面）に配置された第１配線パターン６２と、絶縁シート６１の裏面（他方主面）に配置された第２配線パターン７３とを含む両面搭載型のフラットケーブルである。
第２配線パターン７３は、フラットケーブル７０の裏面の第１領域７０Ａに形成された第１グランドパターン７１と、フラットケーブル７０の裏面の第２領域７０Ｂに形成された第２グランドパターン７２とを備えている。第２グランドパターン７２の単位面積当たりの配線面積は、第１グランドパターン７１の単位面積当たりの配線面積よりも小面積にされている。
【００５４】
たとえば、第２グランドパターン７２は網目状に形成されており、互いに直交する複数の直線状金属箔（銅箔）により構成されている。この第２グランドパターン７２の網目状の格子は正方形をなしている。隣り合う金属直線の間隔はたとえば３．０ｍｍに設定されている。この第２グランドパターン７２は、第１グランドパターン７１に電気的に接続されている。また、第２グランドパターン７２とグランドパターン６５とは、後述するように、第２コネクタ６８と第２コネクタ８０とが結合された状態で、導通が達成されている。
【００５５】
この実施形態では、フラットケーブル７０の裏面の第１領域７０Ａは、フラットケーブル６０の裏面の第１領域６０Ａ（図５（ｂ）参照）と同様、液晶インターフェイス基板４５側の２／３程度の領域である。また、フラットケーブル７０の裏面の第２領域７０Ｂは、フラットケーブル６０の裏面の第２領域６０Ａ（図５（ｂ）参照）と同様、サブ液晶周辺基板４６側の１／３程度の領域である。
【００５６】
なお、第１領域６０Ａおよび第２領域７０Ｂは、フラットケーブル７０の配線の変形領域に応じて適宜設定される。したがって、第１領域６０Ａの方が第２領域７０Ｂよりも大きくなるように構成される場合もある。
また、たとえば第１および第２グランドパターン７１，７２の形成は同時に行われることが望ましい。具体的には絶縁シート６１の全域に金属箔を蒸着させた後、不要箇所をエッチングにより除去することにより第１および第２グランドパターン７１，７２を形成してもよい。しかしながら、第１グランドパターン７１が形成されている絶縁シート６１の裏面に、絶縁シート６１とは異なるシートに形成された第２グランドパターン７２（たとえば、導体パターンを付したシール）を貼り付けるようにすることもできる。
【００５７】
ところで、サブ液晶周辺基板４６とフラットケーブル７０との電気的接続は次に述べるように達成される。
図８は、サブ液晶周辺基板４６のコネクタ８０の概略構成を示す斜視図である。
サブ液晶周辺基板４６には、たとえば雄コネクタからなるサブ液晶周辺用のサブ周辺コネクタ８０が実装されている。このサブ周辺コネクタ８０に、フラットケーブル７０のたとえば雌コネクタからなる第２コネクタ６８が差し込まれる。サブ周辺コネクタ８０は合成樹脂製のハウジング８１を備えている。このハウジング８１の周囲（ハウジング８１における液晶周辺基板４６と対向する面以外の三面）は、金属製のシェル８２によって被覆されているとともに、このシェル８２がサブ液晶周辺基板４６のパターンとの間で電気的接続されている。サブ周辺コネクタ８０は、一列または複数列（図８では一列）に配列された複数本の第１接触子（接触ピン）８３を備えている。この第１接触子８３はサブ液晶周辺基板４６の表面のパターンとの間で導通が保たれている。
【００５８】
図９は、第２コネクタ６８を含むフラットケーブル７０の縦断面図である。
第２コネクタ６８は断面略矩形の直方体形状のハウジング６８Ａを備えておる。ハウジング６８Ａ内には、複数の第２接触子（図示しない）が収容配置（配列）されている。第２接触子は、第１配線パターン６２の電源供給配線６４や信号線６６と導通されている。また、ハウジング６８Ａの上辺には、前方（フラットケーブル７０の長手方向に沿い、かつフラットケーブル７０の内側から端部へと向かう方向）へと延びる上導通片８６が設けられている。上導通片８６は、第１配線パターン６２のグランドパターン６５と電気的接続されている。また、ハウジング６８Ａの下辺には、前方（フラットケーブル７０の長手方向に沿い、かつフラットケーブル７０の内側から端部へと向かう方向）へと延びる下導通片８７が設けられている。下導通片８７は、第２グランドパターン７２と電気的接続されている。
【００５９】
第２コネクタ６８とサブ周辺コネクタ８０との結合状態では、第１接触子８３と対応する第２接触子とが電気的接続し、これにより、フラットケーブル７０とサブ液晶周辺基板４６との導通が達成される。また、第２コネクタ６８とサブ周辺コネクタ８０との結合状態では、上導通片８６および下導通片８７がシェル８２とそれぞれ電気的接続しており、上導通片８６、下導通片８７およびシェル８２を介して第１配線パターン６２のグランドパターン６５と、第２グランドパターン７２との導通が達成されている。
【００６０】
以上によりこの第２実施形態によれば、フラットケーブル７０の裏面の第２領域７０Ｂには、その裏面の第１領域７０Ａに形成された第１グランドパターン７１よりも単位面積当たりの配線面積の小さい第２グランドパターン７２が形成されている。そのため、フラットケーブル７０における第２領域７０Ｂに対応する部分に含まれる配線を少なくすることができる。これにより、フラットケーブル７０の変形時に、第２領域７０Ｂに過度に高い応力が生じるのを抑制することが可能である。
【００６１】
また、第２グランドパターン７２を網目状に形成することにより、第２領域に配線パターンを形成しつつ、その配線の総面積を少ないまま抑えることができる。これにより、ノイズによる影響を抑制することができる。この場合、第１実施形態（フラットケーブル６０）と比較して、フラットケーブル７０におけるより広範な領域に配線パターン（グランドパターン）を形成するので、ノイズによる影響をより一層抑制することができる。
【００６２】
とくに、フラットケーブル７０におけるサブ液晶周辺基板４６側の領域である第２領域７０Ｂは、フラットケーブル７０における繰り返し変形される領域である。フラットケーブル７０における第２領域７０Ｂに相当する領域だけ配線を少なくするので、ノイズ抑制効果は高く維持しつつ、配線パターンの断線の発生を効果的に抑制することができる。
以上、この発明の２つの実施形態について説明したが、本発明はさらに他の形態で実施することもできる。
【００６３】
たとえば、図１０に示すように、第１実施形態のフラットケーブル６０の第２領域６０Ｂのうち、サブ液晶周辺基板４６側の短い領域６０Ｃに、第２配線パターン６３と同等のグランドパターン７５を形成してもよい。この場合、フラットケーブル６０の裏面は、液晶インターフェイス基板４５からサブ液晶周辺基板４６にかけて、グランドパターン（第２配線パターン６３）、配線パターンが形成されていない領域、およびグランドパターン（グランドパターン７５）の順で設けられる。
【００６４】
また、この場合と同様に、たとえば、第２実施形態のフラットケーブル７０の第２領域７０Ｂのうち、サブ液晶周辺基板４６側の短い領域に、第１グランドパターン７１と同等のグランドパターンを形成してもよい。この場合、フラットケーブル７０の裏面は、液晶インターフェイス基板４５からサブ液晶周辺基板４６にかけて、グランドパターン（第１グランドパターン７１）、網目状にグランドパターンが形成された領域、およびグランドパターンの順で設けられる。
【００６５】
また、第２実施形態において、網目状の第２グランドパターン７１の態様を正方格子状であるとして説明したが、第２グランドパターン７１の態様は、正方格子状以外の網目状であってもよい。また、フラットケーブル７０の長手方向または長手方向と直角方向への１本または複数本の直線パターンであってもよい。
また、第２実施形態において、第１配線パターン６２のグランドパターン６５と、第２グランドパターン７２との導通は、第１実施形態のスルーホール５９およびビア５９Ａと同等のスルーホールおよびビアによっても達成される。
【００６６】
また、前述の第１および第２実施形態において、第１領域６０Ａ，７０Ａを、インターフェイス基板４５側の２／３程度の領域とし、第２領域６０Ｂ，７０Ｂを、インターフェイス基板４５側の１／３程度の領域としたが、第１領域と第２領域とがフラットケーブル６０，７０の長手方向に関して異なる領域であれば、各領域の設定は適宜変更可能である。しかしながら、フラットケーブル６０，７０における、小型液晶ユニット３６の移動に伴って繰り返し変形される（撓む）部分は、第２領域に含まれていることが望ましい。
【００６７】
また、液晶インターフェイス基板４５側から、第２領域、第１領域および第２領域の順でこれらの第１および第２領域が設けられていてもよい。各領域の大きさは、フラットケーブル６０，７０の配置や変形（撓み）状態に応じて適宜設定することができる。
また、第２領域は、変形部位に対応するのではなく、静止状態で撓む部位に対応して形成されていてもよい。
【００６８】
また、前述の各実施形態において、フラットケーブル６０，７０の表面側に設けられる第１配線パターン６２の配線の配置構成は一例であり、この構成に限られるものではない。たとえば各信号線６６の間にグランドパターンを配置したり、信号線６６と電源供給配線６４との間に１または複数本のグランドパターンを配置したりすることもできる。これにより耐ノイズ性を高めることができる。
【００６９】
より具体的には、フラットケーブル幅方向の両端部に、１本または複数本（たとえば４本）のＤＣ５Ｖの電源供給配線、および１本または複数本（たとえば４本）のＤＣ３．３Ｖの電源供給配線がそれぞれ配置されており、ＤＣ５Ｖの電源供給配線に隣接して、複数本（たとえば４本）の配線からなるグランドパターン（ＢＧＮＤ）が配置されており、そのグランドパターンとＤＣ３．３Ｖの電源供給配線との間に複数本（たとえば７本）の信号線が配置されており、各隣り合う信号線同士の間、グランドパターンと最もグランドパターン側の信号線との間、およびＤＣ３．３Ｖの電源供給配線と最もＤＣ３．３Ｖの電源供給配線側の信号線との間にそれぞれ、1または複数本のグランド用配線が配置されていてもよい。このとき配置される信号線として、たとえば、リセット信号用信号線、ＣＳＢ信号用信号線、ＳＤＩ信号用信号線、クロック信号線、ＴＸＯＵＴ信号線およびイニシャル信号が設けられていてもよく、たとえば、これらがグランドパターン（ＢＧＮＤ）から、この順に並べられていてもよい。なお、このような第１配線パターンの配線配置は、２基板間の通信のインターフェイスが、すなわち、液晶インターフェイス基板４５とサブ液晶周辺基板４６との間の通信のインターフェイスが、LVDS（low voltage differential signaling）方式によって実現されている場合に、とくに採用される。
【００７０】
また、前述の各実施形態では、第１基板に液晶インターフェイス基板４５を採用した場合を例に挙げて説明したが、液晶インターフェイス基板４５が設けられない場合には、液晶制御基板４３を第１基板として採用することもできる。
また、前述の各実施形態では、第２基板にサブ液晶周辺基板４６を採用した場合を例に挙げて説明したが、サブ液晶周辺基板４６が設けられない場合には、サブ液晶基板３９を第２基板として採用することもできる。
【００７１】
また、フレキシブル配線基板の一例であるフレシキブルフラットケーブル６０，７０に適用した場合を例に挙げて説明したが、本願発明は、遊技機１に適用されるフレキシブル配線基板全体に適用可能である。すなわち、種々の電子部品やコネクタが実装されるフレキシブル基板に、この発明を適用することも可能である。
また、前述の実施形態では、遊技機１としてパチンコ機に適用した例を示したが、パチスロ機等の他の遊技機にも適用可能であることは言うまでもない。この場合、たとえばパチスロ機の液晶表示部（または周りの役物。可動部）に設けられる基板と、他の基板との接続にこのようなフレキシブル配線基板を用いることができる。
【００７２】
その他、特許請求の範囲に記載された事項の範囲で種々の設計変更を施すことが可能である。
【符号の説明】
【００７３】
１  遊技機
１７Ａ  フレーム枠（遊技機本体）
３６  小型液晶ユニット（可動体）
４５  液晶インターフェイス基板（第１基板）
４６  サブ液晶周辺基板（第２基板）
５９Ａ  ビア（導通手段）
６０  フラットケーブル（フレキシブル配線基板）
６０Ａ  第１領域
６０Ｂ  第２領域
６２  第１配線パターン
６３  第２配線パターン
７０  フラットケーブル（フレキシブル配線基板）
７０Ａ  第１領域
７０Ｂ  第２領域
６２  第１配線パターン
７１  第１グランドパターン
７２  第２グランドパターン
７３  第２配線パターン
【図１】
0005209771.tif 000002
【図２】
0005209771.tif 000003
【図３Ａ】
0005209771.tif 000004
【図３Ｂ】
0005209771.tif 000005
【図４Ａ】
0005209771.tif 000006
【図４Ｂ】
0005209771.tif 000007
【図５】
0005209771.tif 000008
【図６】
0005209771.tif 000009
【図７】
0005209771.tif 000010
【図８】
0005209771.tif 000011
【図９】
0005209771.tif 000012
【図１０】
0005209771.tif 000013